(57)【特許請求の範囲】
【請求項１】
金属板により構成され、左右方向に並ぶように壁下地に固定された複数の壁体と、
前記複数の壁体間において当該壁体の後面に沿わせて前記壁下地に固定された水切り材と
を備え、
前記壁体には、左右方向の全長に亙って前方に突出し且つ当該壁体の端面において側方に開口する凸曲部が設けられており、
前記水切り材の左右方向の中間部には、前記凸曲部の前記壁体間への前記開口を覆う突条部が設けられており、
前記突条部は、突出先端側に向かうほど幅狭となるように構成されており、
前記壁体の前記凸曲部の側端面は、前記突条部の外面に沿うように傾斜している
ことを特徴とする外壁構造。
【請求項２】
前記壁体は、上下方向に連結された複数の金属壁板材を備えており、
前記凸曲部は、前記金属壁板材の連結部分である
ことを特徴とする請求項１記載の外壁構造。
【請求項３】
前記金属壁板材の上端部には上方に突出する突起部が設けられ、
前記金属壁板材の下端部には、前記突起部が差し込まれる差し込み溝部が設けられており、
前記壁下地に固定された前記金属壁板材の前記突起部が、前記上方に配置される前記金属壁板材の前記差し込み溝部に差し込まれると、前記上方に配置される前記金属壁板材が前記壁下地に固定されていない状態で保持されるように構成されている
ことを特徴とする請求項２記載の外壁構造。
【請求項４】
前記水切り材には、前記突条部の左右両側にそれぞれ、上下方向に延びた少なくとも１つのリブが設けられており、
前記各リブと前記各壁体の後面とが接触している
ことを特徴とする請求項１〜３のいずれか一項に記載の外壁構造。
【発明の詳細な説明】
【技術分野】
【０００１】
本発明は、外壁構造に関し、より詳細には、金属板により構成された壁体と水切り材とを用いた外壁構造に関する。
【背景技術】
【０００２】
特許文献１には、金属板により構成された壁板が開示されている。この特許文献１記載の壁パネルは、金属板を曲げ加工することで形成された波型の壁パネルである。この壁パネルは、前方に突出し且つ側方に開口するように曲げられた複数の凸曲部を有している。
【０００３】
一般に、この種の壁パネルは、図１２に示すようにして取り付けられる。まず、壁下地に平板状の水切り材９１を固定し、その後、この平板状の水切り材９１の左右両側に並ぶように、複数の壁パネル９２を固定する。そして、左右方向に並ぶ一対の壁パネル９２の間にハット状のカバー材９３を取り付け、これにより、凸曲部の側方の開口を覆って防水性を確保する。
【先行技術文献】
【特許文献】
【０００４】
【特許文献１】特開２０１４−２３７９６４号公報
【発明の概要】
【発明が解決しようとする課題】
【０００５】
しかしながら、このような従来の外壁構造では、防水性を確保するためには、平板状の水切り材９１に加えて、ハット状のカバー材９３が必要である。このため、従来の外壁構造では、部品点数が多く、取り付け作業に手間がかかるという問題がある。
【０００６】
本発明は、上記事情に鑑みてなされたものであり、その目的とするところは、防水性を確保しながら部品点数をできる限り減らし、取り付けの作業性を向上させる外壁構造を提供することにある。
【課題を解決するための手段】
【０００７】
本発明の外壁構造は、金属板により構成され、左右方向に並ぶように壁下地に固定された複数の壁体と、前記複数の壁体間において当該壁体の後面に沿わせて前記壁下地に固定された水切り材とを備え、前記壁体には、左右方向の全長に亙って前方に突出し且つ当該壁体の端面において側方に開口する凸曲部が設けられており、前記水切り材の左右方向の中間部には、前記凸曲部の前記壁体間への前記開口を覆う突条部が設けられており、前記突条部は、突出先端側に向かうほど幅狭となるように構成されており、前記壁体の前記凸曲部の側端面は、前記突条部の外面に沿うように傾斜していることを特徴とする。
【０００８】
また、この外壁構造において、前記壁体は、上下方向に連結された複数の金属壁板材を備えており、前記凸曲部は、前記金属壁板材の連結部分であることが好ましい。
【００１０】
また、この外壁構造において、前記金属壁板材の上端部には上方に突出する突起部が設けられ、前記金属壁板材の下端部には、前記突起部が差し込まれる差し込み溝部が設けられており、前記壁下地に固定された前記金属壁板材の前記突起部が、前記上方に配置される前記金属壁板材の前記差し込み溝部に差し込まれると、前記上方に配置される前記金属壁板材が前記壁下地に固定されていない状態で保持されるように構成されていることが好ましい。
【００１１】
また、この外壁構造において、前記水切り材には、前記突条部の左右両側にそれぞれ、上下方向に延びた少なくとも１つのリブが設けられており、前記各リブと前記各壁体の後面とが接触していることが好ましい。
【発明の効果】
【００１２】
本発明の外壁構造によれば、防水性を確保しながら、部品点数をできる限り減らし、取り付けの作業性を向上させることができる。
【図面の簡単な説明】
【００１３】
【図１】本実施形態の外壁構造の一部の金属壁板材を省略した斜視図である。
【図２】本実施形態の外壁構造の水平断面図である。
【図３】本実施形態の外壁構造において、金属壁板材を取り外した斜視図である。
【図４】本実施形態の金属壁板材の斜視図である。
【図５】図５Ａは、本実施形態の金属壁板材の右側の端部の正面図である。図５Ｂは、図５ＡのＡ−Ａ線断面図である。
【図６】本実施形態の外壁構造において、金属壁板材を取り付けるときの説明図である。
【図７】本実施形態の外壁構造の正面図である。
【図８】本実施形態の外壁構造において、雨水の流れを説明する斜視断面図である。
【図９】本実施形態の外壁構造における鉛直断面図である。
【図１０】本実施形態の外壁構造において、上方の金属壁板材を施工者が手を放した状態を説明するための鉛直断面図である。
【図１１】本実施形態の外壁構造の変形例の鉛直断面図である。
【図１２】参考例の水平断面図である。
【発明を実施するための形態】
【００１４】
以下、本発明の実施形態について添付図面に基づいて説明する。
【００１５】
本実施形態の外壁構造は、例えば、倉庫や工場，住宅家屋等の建物の外壁に適用される。本実施形態の外壁構造は、図１に示すように、壁下地１と、水切り材２と、金属板により構成された複数の壁体３とを備えている。
【００１６】
なお、以下、壁下地１から壁体３に向かう方向を前方向として定義する。また、左右方向の定義は、施工者等が壁体３から壁下地１に向かう姿勢において決定する。
【００１７】
壁下地１は、壁体３の下地となる部分である。壁下地１は、例えば、複数の柱部材１１を備えている。複数の柱部材１１は、水平方向に間隔をおいて配置されており、その長手方向が鉛直方向に平行である。柱部材１１としては、例えば、間柱，管柱，又は通し柱等の柱や、縦胴縁が例示される。なお、柱は、例えば、角形鋼管により構成され、縦胴縁は、例えばリップ付き溝形鋼により構成される。縦胴縁としては、リップ付き溝形鋼を単独で用いてもよいし、２つのリップ付き溝形鋼のウェブ同士を連結し断面略Ｈ状にして用いてもよい。
【００１８】
なお、壁下地１には、複数の柱部材１１間に配置された断熱ボードを含んでもよい。
【００１９】
水切り材２は、複数の壁体３の間において、当該壁体３の後面に沿うように配置され、これにより、雨水が壁体３の後方に回り込むのを防ぐ。水切り材２は、柱部材１１に固定されており、すなわち壁下地１に固定される。水切り材２は、上下方向に長さを有し、左右方向に幅を有している。水切り材２は、矩形状の金属板（例えば鋼板）を曲げ加工することで形成されている。水切り材２は、水切り本体２１と、突条部２５とを備えている。
【００２０】
水切り本体２１は、壁体３の後面に沿うように配置される。水切り本体２１は、第一水切り部２２と、第二水切り部２３とを備えている。第一水切り部２２は、水切り材２の左側の略半部を構成する。第一水切り部２２には、上下方向に延び且つ左右方向に離れた複数のリブ２４（本実施形態では３つ）が設けられている。複数のリブ２４は、曲げ加工によって形成されており、第一水切り部２２の主面から前方に向かって突出している（つまり、突曲している）。また、第一水切り部２２の左側の端部は、ヘミング曲げがなされている。図２に示すように、リブ２４の突出先端は、壁体３の後面に接触するように構成されている。なお、この複数のリブ２４は、例えば、一条のリブ２４であってもよく、数量は限定されない。
【００２１】
第二水切り部２３は、水切り材２の右側の端部を構成し、すなわち、第一水切り部２２が設けられた側とは反対側の端部を構成する。第二水切り部２３には、第一水切り部２２と同様に、上下方向に延び且つ左右方向に離れた複数のリブ２４が設けられている。このリブ２４は、第一水切り部２２と同じ構成であるため、説明は省略する。
【００２２】
突条部２５は、図１に示すように、第一水切り部２２と第二水切り部２３との間に設けられており、つまり、水切り本体２１の左右方向の中間部に設けられている。突条部２５は、上下方向に延びている。突条部２５は、第一水切り部２２に連続した第一傾斜部２６と、第二水切り部２３に連続した第二傾斜部２７とを備えている。突条部２５は、第一傾斜部２６の右側の端部と第二傾斜部２７の左側の端部とが連続し、これにより、断面山形形状をなしている。すなわち、突条部２５は、突出先端側に向かうほど幅狭となるように構成されている。突条部２５は、図２に示すように、その突出先端が、壁体３の前面と同じか、あるいは、それよりも前方に位置するように構成されている。
【００２３】
このような構成の水切り材２の前方には、複数の壁体３が取り付けられる。複数の壁体３は、左右方向に並ぶように壁下地１に固定される。各壁体３は、図３に示すように、上下方向に連結された複数の金属壁板材３１を備えている。
【００２４】
各金属壁板材３１は、平坦な壁板本体３２と、壁板本体３２の上端に設けられた上連結部３３と、壁板本体３２の下端に設けられた下連結部３７とを備えている。金属壁板材３１は、金属板（例えば鋼板）を曲げ加工することで形成されている。上下方向に並ぶ一対の金属壁板材３１は、下側の金属壁板材３１の上連結部３３に、上側の金属壁板材３１の下連結部３７を嵌合することで連結されている。
【００２５】
上連結部３３は、図４に示すように、突起部３４と、突起部３４の後端から上方に延出した固定片３５とを備えている。突起部３４は、前斜め上方に突出している。突起部３４は、壁板本体３２の上方部分を前斜め上方に折り曲げ、その後、重ねるようにして折り返すことで構成されている。突起部３４は、壁板本体３２の上端部の左右方向の全長に亙って設けられている。また、固定片３５は、突起部３４の左右方向の全長に亙って設けられている。固定片３５には、複数の固着具が打ち込まれる。固定片３５に固着具が打ち込まれ、当該固着具が壁下地１に打入されることで、金属壁板材３１は壁下地１に固定される。
【００２６】
下連結部３７は、上連結部３３に嵌合するように構成されている。下連結部３７は、壁板本体３２の下端に形成された凸曲部３８と、凸曲部３８の内部に収容された差し込み溝部４１とを備えている。
【００２７】
凸曲部３８は、壁板本体３２の前面よりも前方に突出し、且つ壁体３の端面において側方に開口している。凸曲部３８は、壁板本体３２の左右方向の全長に亙って設けられており、左右両側に開口している。凸曲部３８は、上斜面部３９と下斜面部４０とから構成される。凸曲部３８は、上斜面部３９の下端と下斜面部４０の上端とが連続しており、これにより、断面山形形状をなしている。凸曲部３８の左右方向の両側の端部は、図５Ａに示すように、壁板本体３２の側端縁よりも側方に突出しており、その端面は、図５Ｂに示すように、左右方向において、壁板本体３２から離れるほど前方に位置するように傾斜している。これにより、凸曲部３８の側端面は、水切り材２の突条部２５の外面に沿うように構成されている。
【００２８】
差し込み溝部４１には、上連結部３３の突起部３４が差し込まれる。差し込み溝部４１は、図４に示すように、凸曲部３８の下斜面部４０の下端に設けられている。差し込み溝部４１は、凸曲部３８の内部（後方）において、下斜面部４０の下端から上方に向かって延出している。より詳細には、差し込み溝部４１は、下斜面部４０の下端から上斜め前方に向かって延出しており、これにより、図９に示すように、差し込み溝部４１の壁下地１側の先端４２が、壁板本体３２の前面よりも前方に位置するように構成されている。なお、差し込み溝部４１は、壁板本体３２の左右方向の全長に亙って設けられている。
【００２９】
本実施形態の外壁構造は、以下のような手順で構成される（図６参照）。
【００３０】
まず、施工者は、壁下地１の柱部材１１に水切り材２を固定する。施工者は、柱部材１１の前面に水切り材２をあてがい、ねじ等の固着具を打入して、柱部材１１に水切り材２を固定する。
【００３１】
次いで、施工者は、下方から順に金属壁板材３１を取り付ける。施工者は、複数の柱部材１１の前面に金属壁板材３１をあてがい、固定片３５に固着具を打入して、金属壁板材３１を柱部材１１に固定する。このとき、金属壁板材３１の凸曲部３８の側方の開口（壁体１間に臨む開口）は、水切り材２の突条部２５により覆われる。
【００３２】
施工者は、既に固定した金属壁板材３１の上連結部３３に、別の金属壁板材３１の下連結部３７を嵌め込む。そして、施工者は、固定した金属壁板材３１の上連結部３３と、別の金属壁板材３１の下連結部３７とを嵌合させた状態で、固着具によって、別の金属壁板材３１の固定片３５を柱部材１１に固定する。このようにして、複数の金属壁板材３１を順に上方に連結し、壁体３を形成する。同様の手順で左右方向にも繰り返し施工して、外壁を構成する。
【００３３】
外壁が形成されると、図７に示すように、水切り材２の突条部２５と、金属壁板材３１の凸曲部３８とが格子状に連続する。従って、本実施形態の外壁構造によれば、格子状の模様を外壁に形成することができ、従来にない外壁の意匠を形成することができる。
【００３４】
本実施形態の外壁構造は、降雨した場合、図８に示すように、雨水は突条部２５を伝って流下するが、一部が、金属壁板材３１と水切り材２との間に浸入する場合がある。この場合、金属壁板材３１と水切り材２との間に浸入した雨水は、水切り材２の水切り部２２，２３を伝って流下する。このとき、水切り部２２，２３と金属壁板材３１との間の隙間は、突条部２５によって覆われており、当該隙間の内部は風の影響を受けにくいため、雨水は、重力に従って下方に流下する。
【００３５】
万が一、風の影響で突条部２５から離れる方向に向かって雨水が流れたとしても、雨水はリブ２４によって堰き止められて下方に流下する。しかも、本実施形態の水切り材２には、複数のリブ２４が設けられているため、より一層、防水性を高めることができる。
【００３６】
また、本実施形態の金属壁板材３１に設けられた突起部３４は、上方に突出している。この突起部３４は、突出長さが、突起部３４の厚さよりも長く形成されている。また、差し込み溝部４１は、その深さ方向が上下方向に沿っている。この差し込み溝部４１の深さは、溝幅より長く形成されている。さらに、突起部３４および差し込み溝部４１は、金属壁板材３１の左右方向に延在している。
【００３７】
本実施形態の外壁構造は、図１０に示すように、固定された状態の金属壁板材３１の突起部３４を、別の金属壁板材３１の差し込み溝部４１に差し込んだ状態では、万が一、施工時に、施工者が上方の金属壁板材３１を手放してしまったとしても、差し込み溝部４１が突起部３４に引っ掛かり、当該上方の金属壁板材３１は保持される。特に、本実施形態の突起部３４および差し込み溝部４１は、左右方向に延びているため、より安定して、上方の金属壁板材３１は保持される。この結果、施工者は、より安全に作業することができる。
【００３８】
以上説明したように、本実施形態の外壁構造は、壁下地１と、金属板により構成された複数の壁体３と、水切り材２とを備える。複数の壁体３は、左右方向に並ぶように壁下地１に固定される。壁体３は、左右方向の全長に亙って前方に突出し且つ壁体３の端面において側方に開口する凸曲部３８を有している。水切り材２は、壁体３の後面に沿うように設けられる。水切り材２の左右方向の中間部には、凸曲部３８の壁体３間への開口を覆う突条部２５が設けられている。
【００３９】
このように、本実施形態の外壁構造によれば、壁体３の凸曲部３８の開口を水切り材２に設けられた突条部２５によって塞ぐことができるため、水切り材２とは別にカバー材が必要とならない。しかも、水切り材２によって、壁体３の裏面側に回り込んだ雨水を受けることができる上に、突条部２５によって、壁体３と水切り本体２１との間の隙間を塞ぐことができるため、防水性も確保することができる。この結果、突条部２５と凸曲部３８との間にシーリングを打たなくても、防水性を確保することができ、部品点数をできる限り減らし、取り付けの作業性を向上させることができる。
【００４０】
また、本実施形態の壁体３は、上下方向に連結された複数の金属壁板材３１を備えている。凸曲部３８は、金属壁板材３１の連結部分である。
【００４１】
このため、本実施形態の外壁構造によれば、上下方向に連結する金属壁板材３１の連結部分の側方の開口からの浸水を防ぐことができて、防水性を高めることができる。しかも、凸曲部３８と突条部２５とで建物の外壁面に格子状の模様を付すことができて、従来にない建物外観を形成することができる。
【００４２】
また、本実施形態の突条部２５は、突出先端側に向かうほど幅狭となるように構成されている。壁体３の凸曲部３８の側端面は、突条部２５の外面に沿うように傾斜している。
【００４３】
このため、本実施形態の外壁構造によれば、突条部２５と凸曲部３８との間の隙間を目立たないようにできる。すなわち、突条部２５と凸曲部３８とが交差する部分においては、突条部２５と凸曲部３８とが、正面から見て重なっているため、仮に、突条部２５と凸曲部３８との間に一定以上の隙間が生じても、正面からは隙間が目立たない。
【００４４】
また、本実施形態の水切り本体２１には、少なくとも１つのリブ２４が設けられている。リブ２４は、上下方向に延びており、突条部２５の左右両側にそれぞれ設けられる。各リブ２４は、各壁体３の後面に接触している。
【００４５】
このため、本実施形態の外壁構造によれば、万が一、壁体３の後面にまで水が浸入しても、リブ２４によって水を堰き止めることができるため、防水性をより向上させることができる。
【００４６】
また、本実施形態の金属壁板材３１の上端部には上方に突出する突起部３４が設けられる。金属壁板材３１の下端部には、突起部３４が差し込まれる差し込み溝部４１が設けられている。そして、壁下地１に固定された金属壁板材３１の突起部３４が、上方に配置される金属壁板材３１の差し込み溝部４１に差し込まれると、上方に配置される金属壁板材３１が、壁下地１に固定されていない状態でも保持されるように構成されている。
【００４７】
このため、本実施形態の外壁構造によれば、施工者が、万が一、施工中に上方に配置される金属壁板材３１を手放してしまったとしても、直ちに金属壁板材３１が落下するのを防ぎ、また、前方に倒れ込むことを防ぐことができるため、施工者は安全に作業することができる。
【００４８】
また、本実施形態の金属壁板材３１の差し込み溝部４１は、凸曲部３８の内部において、当該凸曲部３８の下端から上斜め前方に向かって延出している。これにより、差し込み溝部４１の壁下地１側の先端４２が、壁板本体３２の前面よりも前方に位置するように構成されている。
【００４９】
このため、本実施形態の複数の金属壁板材３１は、上下方向に連結しても、差し込み溝部４１が壁下地１や水切り材２に乗り上げて浮いてしまうのを防ぐことができる。
【００５０】
なお、本実施形態の外壁構造において、凸曲部３８は、金属壁板材３１の連結部分であったが、本発明の外壁構造においては、凸曲部３８が波型の金属壁板の各凸部により構成されてもよい。また、凸曲部３８の側端面は、壁面に対して傾斜していなくてもよく、例えば、壁面に対して直交してもよい。その場合、突条部２５は、突出先端側に向かうほど幅狭とはならずに、突出基部から先端までが同幅に形成される。
【００５１】
また、本実施形態の水切り材２に設けられた突条部２５は、水切り本体２１の左右方向の中央（幅に対して端から１/２の位置）に設けられていたが、左右方向のいずれかに偏った位置に設けられていてもよい。
【００５２】
本実施形態の金属壁板材３１は、例えば、図１１のような構造であってもよい（以下、この例を変形例という）。なお、本変形例において、上記実施形態の構成と対応する構成には、上記実施形態の符号の数字の末尾にアルファベット「ａ」を加えた符号を付して説明を省略する。
【００５３】
この金属壁板材３１ａは、突起部３４ａが、壁板本体３２ａの上端部から鉛直上方に突出している。また、差し込み溝部４１ａは、凸曲部３８ａの下端から鉛直上方に延出している。
【００５４】
このような変形例の金属壁板材３１であっても、防水性を確保しながら、部品点数をできる限り減らし、取り付けの作業性を向上させることができる。
【符号の説明】
【００５５】
１      壁下地
１１    柱部材
２      水切り材
２１    水切り本体
２２    第一水切り部
２３    第二水切り部
２４    リブ
２５    突条部
２６    第一傾斜部
２７    第二傾斜部
３      壁体
３１    金属壁板材
３２    壁板本体
３３    上連結部
３４    突起部
３５    固定片
３７    下連結部
３８    凸曲部
３９    上斜面部
４０    下斜面部
４１    差し込み溝部
【図１】
0006557480.tif 000002
【図２】
0006557480.tif 000003
【図３】
0006557480.tif 000004
【図４】
0006557480.tif 000005
【図５】
0006557480.tif 000006
【図６】
0006557480.tif 000007
【図７】
0006557480.tif 000008
【図８】
0006557480.tif 000009
【図９】
0006557480.tif 000010
【図１０】
0006557480.tif 000011
【図１１】
0006557480.tif 000012
【図１２】
0006557480.tif 000013